(57)【要約】      （修正有）【課題】段曲げ部の無い薄い板金であっても、十分なカメラ全体の剛性を確保し、ＬＣＤへの外力に対しても十分なフレームの強度を確保すること。【解決手段】デジタルカメラは、金属製板を凸状にして略コの字形状をなしたフレーム２１の両端が中間カバー１５に固定される。これにより厚みの薄いフレームを使用しながらもカメラ全体の剛性を確保できる。この結果ＬＣＤ表示素子に過大な力が加わって破損するのを防止できると共にデジタルカメラの小型化が可能となる。【選択図】図３
2008227615.tif 000002
【特許請求の範囲】
【請求項１】
金属製板を凸状にして略コの字形状をなしたフレームの両端が中間カバーに固定されることを特徴とするデジタルカメラ。
【請求項２】
金属製板を凸状にして略コの字形状をなしたフレームを有し、その上部と下部が前後カバーに挟まれた中間カバーの内側に位置決めされて接着固定され、
前記フレームの上部及び下部が前記中間カバーの前後幅よりも広く、そのはみ出した部分が、前記前後カバーの内側に配置されることを特徴とするデジタルカメラ。
【請求項３】
前記フレームの厚みが０．２ｍｍ以下の金属製板であることを特徴とする請求項１又は２記載のデジタルカメラ。
【請求項４】
前記フレームは、上下部分が前後カバーの内面形状に沿って概略密着して配置されていることを特徴とする請求項１から３のいずれか１項に記載のデジタルカメラ。
【請求項５】
前記フレームは、その上部と下部の端部において、電池室に位置決めされてネジ止め固定されていることを特徴とする請求項１から４のいずれか１項に記載のデジタルカメラ。
【請求項６】
前記フレームは、表示素子の位置決め固定を行っていることを特徴とする請求項１から５のいずれか１項に記載のデジタルカメラ。
【発明の詳細な説明】
【技術分野】
【０００１】
本発明は、デジタルカメラの内部構造体であるシャーシの取り付け構造、及び、内部に組み込まれる液晶ディスプレイなどの表示素子の取り付け構造に関するものである。
【背景技術】
【０００２】
従来、図６に示すように、樹脂製の中間カバーと一体のフレームと、前後カバーでＬＣＤを収納していた。したがって、その厚みが厚く、スペースを必要としていた。
【０００３】
ここで、画像を表示する表示ユニットと、この表示ユニットの表面側に配置されかつ表示ユニットの表示面を保護する板状の保護部材とを有する表示ユニット保護構造において、保護部材が、表示ユニットに対して直接的に固定されることで、強度が十分な液晶保護パネルを、この液晶保護パネルが無い場合と略同等の厚みの中に配置して、その構造に付随する各種のリスクを回避するデジタルカメラを提供することができる技術が開示されている（例えば、特許文献１参照）。
【特許文献１】特開２００５−２３４１４３号公報
【発明の開示】
【発明が解決しようとする課題】
【０００４】
近年、カメラの小型化の為に、フレームを薄くする必要が生じた。
【０００５】
しかしながら、従来技術のフレームを同じ形のままで薄くすると、カメラ全体の剛性（ねじり剛性・曲げ剛性など）が低下してしまう。さらに、フレームが薄くなり強度が不十分である。すなわち、ＬＣＤに外力が加わった時に、上下のフレームの接触部分が外力を受けるが、フレームの強度が不十分である。
【０００６】
そこで、本発明では、樹脂製の中間カバーと一体となっていたフレームを強度を確保する為の段曲げ部が無いような一枚の板金を凸状にし、中間カバーに両端を固定することにより、段曲げ部の無い薄い板金であっても、十分なカメラ全体の剛性を確保し、ＬＣＤへの外力に対しても十分なフレームの強度を確保することを目的とする。
【課題を解決するための手段】
【０００７】
請求項１記載の発明は、金属製板を凸状にして略コの字形状をなしたフレームの両端が中間カバーに固定されることを特徴とするデジタルカメラである。
【０００８】
請求項２記載の発明は、金属製板を凸状にして略コの字形状をなしたフレームを有し、その上部と下部が前後カバーに挟まれた中間カバーの内側に位置決めされて接着固定され、フレームの上部及び下部が中間カバーの前後幅よりも広く、そのはみ出した部分が、前後カバーの内側に配置されることを特徴とするデジタルカメラである。
【０００９】
請求項３記載の発明は、請求項１又は２記載のデジタルカメラにおいて、フレームの厚みが０．２ｍｍ以下の金属製板であることを特徴とする。
【００１０】
請求項４記載の発明は、請求項１から３のいずれか１項に記載のデジタルカメラにおいて、フレームは、上下部分が前後カバーの内面形状に沿って概略密着して配置されていることを特徴とする。
【００１１】
請求項５記載の発明は、請求項１から４のいずれか１項に記載のデジタルカメラにおいて、フレームは、その上部と下部の端部において、電池室に位置決めされてネジ止め固定されていることを特徴とする。
【００１２】
請求項６記載の発明は、請求項１から５のいずれか１項に記載のデジタルカメラにおいて、フレームは、表示素子の位置決め固定を行っていることを特徴とする。
【発明の効果】
【００１３】
本発明によれば、樹脂製の中間カバーと一体となっていたフレームを強度を確保する為の段曲げ部が無いような一枚の板金を凸状にし、中間カバーに両端を固定することにより、段曲げ部の無い薄い板金であっても、十分なカメラ全体の剛性を確保し、ＬＣＤへの外力に対しても十分なフレームの強度を確保することができる。また、強度を確保する為にフレームに複数の段曲げ部を作る必要がない。
【発明を実施するための最良の形態】
【００１４】
図１は本発明の実施形態の一例を示すデジタルカメラ（１）の前方斜視図、図２は同じく後方斜視図である。
【００１５】
不図示の固体撮像素子、レンズを含む撮像手段、信号処理部、電源回路部、電池収納部、撮影した画像を記録媒体に記録する記録手段を具備しているデジタルカメラ（１）である。
【００１６】
デジタルカメラ（１）は、正面から見て左側が右手グリップ部（２）で、その下方にはメモリーカードと電池を装着可能なカードスロット部と電池室を被う電池蓋（３）が設けられている。
【００１７】
その側面には外部出力端子を覆う、開閉可能な端子蓋（不図示）が設けられている。
【００１８】
カメラ前面右寄りにはズーム撮影レンズ鏡胴（４）が取り付けられており、その斜め上方には低照度での撮影等の場合に補助光を発するためのストロボ（５）が設けられている。
【００１９】
上面には、カメラの電源をＯＮ／ＯＦＦする電源スイッチ（６）、シャッターボタン（７）、ズームレバー（８）が設けられている。
【００２０】
また、後面には、撮影画像を表示したり、撮影モードを表示したりするＬＣＤ表示装置（９）、複数のモードスイッチ（１０）、モード切換スライドスイッチ（１１）が設けられている。
【００２１】
カバー構成は、中央部に樹脂製の帯状でカメラ外面を一周する中間カバー（１５）があり、前後に金属製の前カバー（１６）、後カバー（１７）が取り付けられている。前カバー（１６）から前記ズーム撮影レンズ鏡胴（４）が突き出している部分の周りには、鏡胴リング（２７）が前カバー（１６）に設けられている。
【００２２】
図３は、前後カバー（１６）（１７）以外の筐体の剛性を確保する構造体部品の組立状態を示す斜視図である。
【００２３】
図４は、ズーム撮影レンズ鏡胴（４）の中心に沿って前後方向垂直に切断した断面図であるが、解り易くするために、ズーム撮影レンズ鏡胴部（４）は省略してある。
【００２４】
フレーム（２１）の上部と下部の右端部（２２）（２３）が電池室（２４）に位置決めされてネジ止め固定されている。電池室（２４）は、右グリップ（２）側の側面で中間カバー（１５）、前後カバー（１６）（１７）をネジ止めしている。前カバー（１６）には、前記の鏡胴リング（２７）が接着で取り付けられている。
【００２５】
厚みｔ＝０.２ｍｍの薄い鋼板からなる前記フレーム（２１）は、略コの字形状をなし、上部と下部が前後カバー（１６）（１７）に挟まれた中間カバー（１５）の内側に位置決めされて接着されている。図３に示した（２５）（２６）が下部の位置決め用の突起と穴であるが、上部にも同様な突起と穴がある。
【００２６】
また、フレーム（２１）の上部及び下部が前記中間カバー（１５）の前後幅よりも広く、そのはみ出した部分（３０）（３１）（３２）（３３）が、前記前後カバー（１６）（１７）の内側形状に沿って概略密着して配置されている。
【００２７】
シャーシ（２１）の後面には、ＬＣＤ表示装置（９）が、複数の突起部（３６）によって位置決めされ、また、両面テープ（３５）によって固定されている。その後面外側は後カバー（１７）が被い、その開口部（４０）からＬＣＤ表示装置（９）の表示部（４１）を見ることができる。
【００２８】
図５は、本実施形態のフレームと中間カバーの位置関係を説明する図である。
【００２９】
ここで、図５におけるＡ−Ａ断面図を図６に示す。図６を参照すると、従来は、樹脂製の中間カバーと一体のフレームと前後カバーでＬＣＤを収納していた。したがって、その厚みが厚く、スペースを必要としていた。
【００３０】
カメラの小型化の為に、フレームを薄くする必要が生じたが、フレームを従来と同じ形のままで薄くすると、カメラ全体の剛性（ねじり剛性・曲げ剛性など）が低下してしまう。さらに、フレームが薄くなり強度が不十分であり、ＬＣＤに外力が加わった時に、上下のフレームの接触部分が外力を受けるが、フレームの強度が不十分である。
【００３１】
そこで、樹脂製の中間カバーと一体のフレームを一枚の板金を凸状にし、中間カバーに両端を固定した。なお、凸状のフレームには、強度を確保する為の段曲げ部が無い。これにより、段曲げ部の無い薄い板金であっても、十分なカメラ全体の剛性を確保し、ＬＣＤへの外力に対しても十分なフレームの強度を確保できる。
【００３２】
以下に各請求項ごとの効果を説明する。
請求項２に記載のデジタルカメラは、略コの字形状をなしたフレームの上部と下部が、中央部に樹脂製の帯状でカメラ外面を一周する中間カバーの内側に位置決めされて接着固定され、また、フレームの上部及び下部が前記中間カバーの前後幅よりも広く、そのはみ出した部分が、前記前後カバーの内側に配置され、前記中間カバーの内側を上下に接続し、前後カバーの内側で挟まれる構造であるので、デジタルカメラ全体の剛性を高くすることができる。
【００３３】
請求項３に記載のデジタルカメラは、厚みが０.２ｍｍ以下である薄い鋼板を使用した、のでフレームを薄くすることができる。
【００３４】
請求項４に記載のデジタルカメラは、フレームの上下部分が前後カバーの内面形状に沿って概略密着して配置されているので、デジタルカメラ外面形状デザインの自由度が広がり、また、無駄なスペースを生じないので、デジタルカメラの小型化が可能となる。
【００３５】
請求項５に記載のデジタルカメラ（１）は、前記フレームの上部と下部の右端部において、電池室に位置決めされてネジ止め固定されているので、薄い鋼板を使用した場合においても、十分な剛性を確保することができる。
【００３６】
請求項６に記載のデジタルカメラは、フレームの薄い鋼板を使用して、ＬＣＤ表示素子の位置決め固定を行っているので、デジタルカメラ外面やＬＣＤ表示素子自体に力が加わった場合、フレームが撓むことによって力を吸収するので、ＬＣＤ表示素子に過大な力が加わって破損するのを防止するのに効果がある。
【００３７】
なお、上述する各実施の形態は、本発明の好適な実施の形態であり、本発明の要旨を逸脱しない範囲内において種々変更実施が可能である。
【図面の簡単な説明】
【００３８】
【図１】本発明の実施形態のデジタルカメラの前方斜視図である。
【図２】本発明の実施形態のデジタルカメラの後方斜視図である。
【図３】本発明の実施形態の筐体の剛性を確保する構造体部品の組立状態を示す斜視図である。
【図４】本発明の実施形態のズーム撮影レンズ鏡胴の中心に沿って前後方向垂直に切断した断面図である。
【図５】本発明の実施形態のフレームと中間カバーの位置関係を説明する図である。
【図６】従来の技術との対比図である。
【符号の説明】
【００３９】
１    デジタルカメラ
２    右手グリップ部
３    電池蓋
４    ズーム撮影レンズ鏡胴
５    ストロボ
６    電源スイッチ
７    シャッターボタン
８    ズームレバー
９    ＬＣＤ表示装置
１０    モードスイッチ
１１    モード切換スライドスイッチ
１５    中間カバー
１６    前カバー
１７    後カバー
２１    フレーム
２２、２３    右端部
２４    電池室
２５、２６    位置決め用の突起と穴
２７    鏡胴リング
３５    両面テープ
３６    突起部
４０    開口部
４１    表示部
【図１】
2008227615.tif 000003
【図２】
2008227615.tif 000004
【図３】
2008227615.tif 000005
【図４】
2008227615.tif 000006
【図５】
2008227615.tif 000007
【図６】
2008227615.tif 000008